(57)【要約】【課題】撮影状況が変化する中で撮影業務を行う場合でも、撮影装置に対して適切な撮影パラメータを設定可能にする。【解決手段】撮影装置で使用する撮影パラメータを決定する撮影支援システムであって、撮影装置により撮影された撮影画像を取得する画像取得部と、撮影画像を画像処理する画像処理部と、画像処理部による画像処理結果に基づいて撮影パラメータを決定する決定部と、を備える。【選択図】  図１０
2013157676.tif 000002
【特許請求の範囲】
【請求項１】
撮影装置で使用する撮影パラメータを決定する撮影支援システムであって、
前記撮影装置により撮影された撮影画像を取得する画像取得手段と、
前記撮影画像を画像処理する画像処理手段と、
前記画像処理手段による画像処理結果に基づいて前記撮影パラメータを決定する決定手段と、
を備えることを特徴とする撮影支援システム。
【請求項２】
前記画像処理手段は、前記撮影画像を確認したユーザからの画像補正依頼に応じて、前記撮影画像を画像処理することを特徴とする請求項１に記載の撮影支援システム。
【請求項３】
前記決定手段により決定された前記撮影パラメータを前記撮影装置へ送信する撮影パラメータ送信手段をさらに備えることを特徴とする請求項２に記載の撮影支援システム。
【請求項４】
前記画像処理手段は、
予め定められた画像補正手順に従って自動で前記撮影画像に対して画像補正を行う自動画像補正手段と、
前記自動での画像補正結果についてユーザによる手動での画像補正を受け付ける手動画像補正手段と、を備え、
前記撮影支援システムは、
前記自動画像補正手段により行われた自動画像補正結果を表示する自動画像補正結果表示手段をさらに備え、
前記画像処理結果は、前記自動画像補正手段により行われた自動画像補正情報と、前記手動画像補正手段により行われた手動画像補正情報とを含むことを特徴とする請求項２または３に記載の撮影支援システム。
【請求項５】
前記撮影装置により撮影された撮影画像に対して、前記手動画像補正手段により所定範囲内の補正が所定回数以上行われたか否かを判定する判定手段をさらに備え、
前記決定手段は、前記判定手段により前記所定範囲内の補正が所定回数以上行われたと判定された場合に、前記撮影パラメータの決定を行うことを特徴とする請求項４に記載の撮影支援システム。
【請求項６】
前記決定手段により前記撮影パラメータの決定が行われることをユーザへ警告する警告手段をさらに備えることを特徴とする請求項５に記載の撮影支援システム。
【請求項７】
撮影装置で使用される撮影パラメータを決定する撮影支援装置であって、
前記撮影装置により撮影された撮影画像の画像処理結果を取得する取得手段と、
前記画像処理結果に基づいて前記撮影パラメータを決定する決定手段と、
を備えることを特徴とする撮影支援装置。
【請求項８】
取得手段と、決定手段とを備えており、撮影装置で使用される撮影パラメータを決定する撮影支援装置の制御方法であって、
前記取得手段が、前記撮影装置により撮影された撮影画像の画像処理結果を取得する取得工程と、
前記決定手段が、前記画像処理結果に基づいて前記撮影パラメータを決定する決定工程と、
を有することを特徴とする撮影支援装置の制御方法。
【請求項９】
請求項８に記載の撮影支援装置の制御方法の各工程をコンピュータに実行させるためのプログラム。
【発明の詳細な説明】
【技術分野】
【０００１】
本発明は、撮影支援システム、撮影支援装置、撮影支援装置の制御方法、およびプログラムに関し、撮影装置を用いて写真の撮影を行う撮影業務を支援する撮影支援システム、撮影支援装置、撮影支援装置の制御方法、およびプログラムに関する。
【背景技術】
【０００２】
近年、記念写真などを撮影する写真館のスタジオに、カメラマンがデジタルカメラで撮影した撮影画像をパーソナルコンピュータのモニタ上に表示し、その場で撮影画像の確認をすることができる撮影支援システムが導入されている。このような撮影システムでは、カメラマンが撮影の成否を判断するのを支援するために、撮影画像を取り込んで表示するとともに、撮影画像内の人物の顔を抽出し、抽出した顔の画像を撮影画像と同一画面上に表示する。これにより、表情や、ピントの確認などをすることができる。
【０００３】
特許文献１では、撮影画像のピントや露出を判定し、カメラマンに対して警告する技術が開示されている。
【０００４】
また特許文献２では、利用予定の撮影パラメータをあらかじめシステムに登録しておき、撮影開始時にシステムから撮影装置に撮影パラメータを設定し、さらには、撮影画像に付加されている撮影時のパラメータと事前に設定したパラメータを比較し、異なる値の場合は警告するとともにシステムから撮影パラメータを再設定する技術が開示されている。
【先行技術文献】
【特許文献】
【０００５】
【特許文献１】特開２００６−１８０４０４号公報
【特許文献２】特開２０１１−０９１５１２号公報
【発明の概要】
【発明が解決しようとする課題】
【０００６】
しかしながら、特許文献１では、利用予定の撮影パラメータを撮影装置に対して人手により設定する必要があるため、利用予定の撮影パラメータが正しく設定されている保証がないという課題がある。
【０００７】
また特許文献２では、撮影装置に対して設定できる撮影パラメータは、予めシステムに設定されているパラメータに限定されるだけである。よって、スタジオにおいて日々変化する照明の照度等に追随するためには、システムに対して撮影パラメータを再設定しなければならない。しかし、設定できるのは事前設定の撮影パラメータのみであるため、撮影業務を行っている途中で、適切な撮影パラメータに変更することができない。よって、事前に設定された撮影パラメータで撮影された画像であっても最良の画像とはならない可能性があり、画像補正作業を行わなければならない場合があるという課題がある。
【０００８】
上記の課題に鑑み、本発明は、撮影状況が変化する中で撮影業務を行う場合でも、撮影装置に対して適切な撮影パラメータを設定可能にすることを目的とする。
【課題を解決するための手段】
【０００９】
上記の目的を達成する本発明に係る撮影支援システムは、
撮影装置で使用する撮影パラメータを決定する撮影支援システムであって、
前記撮影装置により撮影された撮影画像を取得する画像取得手段と、
前記撮影画像を画像処理する画像処理手段と、
前記画像処理手段による画像処理結果に基づいて前記撮影パラメータを決定する決定手段と、を備えることを特徴とする。
【発明の効果】
【００１０】
本発明によれば、撮影状況が変化する中で撮影業務を行う場合でも、撮影装置に対して適切な撮影パラメータを設定することができる。
【図面の簡単な説明】
【００１１】
【図１】第１実施形態に係る撮影支援システムを概念的に示す図。
【図２】第１実施形態に係る撮影画像確認装置、撮影支援装置、および画像処理装置のそれぞれを、ＰＣ（パーソナルコンピュータ）を使用して実現した場合のシステムブロック図。
【図３】第１実施形態に係る撮影画像確認装置のモジュール構成を示す図。
【図４】第１実施形態に係る撮影支援装置のモジュール構成を示す図。
【図５】第１実施形態に係る画像処理装置のモジュール構成を示す図。
【図６】第１実施形態に係る撮影画像確認装置で撮影画像確認に使用されるユーザインタフェースの一例を示す図。
【図７】第１実施形態に係る画像処理装置で画像情報一覧を表示する際に使用されるユーザインタフェースの一例を示す図。
【図８】第１実施形態に係る画像処理装置で手動画像補正を行う際に使用されるユーザインタフェースの一例を示す図。
【図９】第１実施形態に係る撮影支援装置で管理される画像処理フローの設定を管理した画像処理フローテーブルの一例を示す図。
【図１０】第１実施形態に係る撮影支援システムにおいて撮影支援処理を実施する手順を示すフローチャート。
【図１１】第１実施形態に係る撮影支援システムにおいて撮影パラメータ決定処理を実施する手順を示すフローチャート。
【図１２】第２実施形態に係る撮影支援システムにおいて撮影支援処理を実施する手順を示すフローチャート。
【発明を実施するための形態】
【００１２】
（第１実施形態）
図１を参照して、第１実施形態に係る撮影支援システムの構成例を説明する。撮影支援システムは、撮影装置１００と、撮影画像確認装置１０１と、撮影支援装置１０２と、画像処理装置１０３とを備える。各装置は、それぞれ単一のコンピュータ装置で実現してもよいし、必要に応じた複数のコンピュータ装置に各機能を分散して実現してもよい。複数のコンピュータ装置で構成する場合は、互いに通信可能なようにＬｏｃａｌ  Ａｒｅａ  Ｎｅｔｗｏｒｋ（ＬＡＮ）などで接続される。なお、各装置間で行われる情報の伝達は、任意の装置を中継させて行ってもよいが、中継を行わずに直接装置間で行ってもよい。なお、本実施形態におけるシステム構成は一例に過ぎず、幾つかの装置が実行するする後述の処理および機能を単一の情報処理装置が実行するシステム構成であってよい。例えば、撮影画像確認装置１０１と、撮影支援装置１０２と、画像処理装置１０３において夫々実行する処理及び機能の全てを単一の情報処理装置が実行する構成のシステムとしてもよい。
【００１３】
図２は、撮影画像確認装置１０１、撮影支援装置１０２、画像処理装置１０３を、それぞれＰＣ（パーソナルコンピュータ）等のコンピュータで構成した場合のブロック図である。なお、各装置は、ＰＣ（パーソナルコンピュータ）以外に、ワークステーション、ノートブックＰＣ、パームトップＰＣ、コンピュータを内蔵したテレビ等の各種家電製品、ゲーム機、電話、ＦＡＸ、携帯電話、ＰＨＳ、電子手帳、等を含む端末、または、これらの組合せによっても実施可能である。
【００１４】
コンピュータは、ＣＰＵ２０１と、ＲＡＭ２０２と、ＲＯＭ２０３と、ＮＥＴＩＦ２０４と、ＶＲＡＭ２０５と、表示装置２０６と、コントローラ２０７、外部入力装置２０８と、ＨＤＤ２０９と、ＦＤＤ２１０とを備え、入出力バス２００によって相互に接続されている。
【００１５】
ＣＰＵ２０１は、コンピュータシステムの制御を司る中央演算装置である。ＲＡＭ２０２は、ランダムアクセスメモリであり、ＣＰＵ２０１の主メモリとして、且つプログラムの実行エリアならびにデータエリアとして機能する。ＲＯＭ２０３は、ＣＰＵ２０１の動作処理手順を記録しているリードオンリーメモリである。ＲＯＭ２０３には、コンピュータの機器制御を行うプログラムである基本ソフト（ＯＳ）を記録したプログラムＲＯＭや、コンピュータを稼動するために必要な情報などが記録されたデータＲＯＭがある。ＲＯＭ２０３の代わりに後述のＨＤＤ２０９を用いる場合もある。
【００１６】
ＮＥＴＩＦ２０４は、ネットワークインタフェースであり、ネットワークを介してコンピュータシステム間のデータ転送を行うための制御や接続状況の診断を行う。ＶＲＡＭ２０５は、ビデオＲＡＭであり、コンピュータの稼動状態を示す後述する表示装置２０６の画面に表示される画像を展開して当該画像表示を制御する。
【００１７】
表示装置２０６は、例えばディスプレイである。コントローラ２０７は、後述する外部入力装置２０８からの入力信号を制御する。外部入力装置２０８は、例えばキーボードであり、ユーザがコンピュータに対して行う操作を受け付ける。ＨＤＤ２０９は、ハードディスク等の記憶装置であり、アプリケーションプログラムや、画像情報などのデータ保存用に用いられる。本実施形態におけるアプリケーションプログラムとは、撮影支援を実行するソフトウェアプログラムなどである。ＦＤＤ２１０は、外部入出力装置であって、例えばフレキシブルディスクドライブ、ＣＤ−ＲＯＭドライブなどのリムーバブル・ディスクを入出力するものであり、上述したアプリケーションプログラムの媒体からの読み出しなどに用いられる。なお、ＨＤＤ２０９に格納するアプリケーションプログラムやデータを、ＦＤＤ２１０に格納して使用することも可能である。
【００１８】
次に図３、図４、および図５を参照して、撮影画像確認装置１０１、撮影支援装置１０２、および画像処理装置１０３の概略構成をそれぞれ説明する。
【００１９】
図３は、撮影画像確認装置１０１の概略構成である。撮影画像確認装置１０１は、ユーザインタフェース３００と、画像表示部３０１と、レーティング変更部３０５と、撮影パラメータ変更通知部３０６と、顔領域検出部３０７と、画像処理依頼部３０８と、撮影パラメータ送信部３０９と、撮影画像転送部３１０と、メッセージ送受信部３１１とを備える。
【００２０】
画像表示部３０１は、撮影画像表示部３０２と、顔領域表示部３０３と、サムネイル画像表示部３０４とを備える。また、メッセージ送受信部３１１は、メッセージ送信部３１２と、メッセージ受信部３１３とを備える。
【００２１】
ユーザインタフェース３００は、カメラマンなどのユーザからの入力を受付けたり、ユーザへ情報を通知したりする。画像表示部３０１は、ユーザインタフェース３００を通じて、撮影画像、顔領域画像、およびサムネイル画像を表示する。より具体的には、撮影画像表示部３０２が撮影画像を表示し、顔領域表示部３０３が顔領域画像を表示し、およびサムネイル画像表示部３０４がサムネイル画像を表示する。レーティング変更部３０５は、撮影画像のレーティングを変更する。撮影パラメータ変更通知部３０６は、撮影支援装置１０２と画像処理装置１０３とから、撮影パラメータの変更を通知されたことを、ユーザインタフェース３００を通じてユーザに通知する。顔領域検出部３０７は、撮影画像から顔領域を検出する。画像処理依頼部３０８は、ユーザインタフェース３００を通じてユーザから画像補正依頼を受付けて、撮影支援装置１０２へ画像補正依頼を送信する。
【００２２】
撮影パラメータ送信部３０９は、撮影装置１００に対して撮影パラメータを送信する。撮影画像転送部３１０は、撮影画像すべてを撮影支援装置１０２へ転送する。メッセージ送受信部３１１は、撮影装置１００や撮影支援装置１０２との間でメッセージの送受信を行う。より具体的には、メッセージ送信部３１２がメッセージを送信し、メッセージ受信部３１３がメッセージを受信する。
【００２３】
なおメッセージを送受信する際には、インターネットプロトコル（ＩＰ）が用いられる。この場合ＩＰのバージョンはＩＰｖ４とＩＰｖ６との双方が使用可能である。また、実際に通信経路として使用される媒体は、有線あるいは無線を用いることができる。プロトコルによっては、さらにＴＣＰ、ＵＤＰ、ＨＴＴＰ、ＳＭＴＰ、ＳＮＭＰ、ＦＴＰなどの通信プロトコルが用いられる場合もある。
【００２４】
図４は、撮影支援装置１０２の概略構成である。撮影支援装置１０２は、撮影画像保存部４００と、補正画像保存部４０１と、補正情報保存部４０２と、画像補正情報解析部４０３と、撮影パラメータ決定部４０４と、撮影パラメータ送信部４０５と、画像処理依頼部４０６と、撮影パラメータ変更通知部４０７と、メッセージ送受信部４０８とを備える。メッセージ送受信部４０８は、メッセージ送信部４０９と、メッセージ受信部４１０とを備える。
【００２５】
撮影画像保存部４００は、撮影画像確認装置１０１から送信される撮影画像を保存する。補正画像保存部４０１は、画像処理装置１０３から送信される補正後の画像を保存する。補正情報保存部４０２は、画像処理装置１０３により行われた画像処理結果として、自動および手動画像補正結果である画像補正情報（自動画像補正情報および手動画像補正情報）を保存する。画像補正情報解析部４０３は、画像処理装置１０３により行われた自動および手動画像補正結果である画像補正情報を解析する。
【００２６】
撮影パラメータ決定部４０４は、画像補正情報解析部４０３の解析結果に基づいて撮影パラメータを決定する。撮影パラメータ送信部４０５は、撮影パラメータ決定部４０４により決定された撮影パラメータを撮影画像確認装置１０１に送信する（撮影パラメータ送信処理）。画像処理依頼部４０６は、自動画像補正手順を管理し、撮影画像確認装置１０１から送信された撮影画像に対して自動画像補正を画像処理装置１０３へ依頼するとともに、撮影画像確認装置１０１から送信される画像処理依頼に基づいて手動画像補正処理を画像処理装置１０３へ依頼する。
【００２７】
撮影パラメータ変更通知部４０７は、撮影パラメータ決定部４０４において、撮影パラメータの変更が必要であると判断された場合に、撮影画像確認装置１０１に対して、撮影パラメータの変更を実施することを通知する。メッセージ送受信部４０８は、撮影画像確認装置１０１および画像処理装置１０３との間でメッセージの送受信を行う。より具体的には、メッセージ送信部４０９がメッセージを送信し、メッセージ受信部４１０がメッセージを受信する。
【００２８】
なおメッセージを送受信する際には、インターネットプロトコル（ＩＰ）が用いられる。この場合ＩＰのバージョンはＩＰｖ４とＩＰｖ６の双方が使用可能である。また、実際に通信経路として使用される媒体は、有線あるいは無線を用いることができる。プロトコルによっては、さらにＴＣＰ、ＵＤＰ、ＨＴＴＰ、ＳＭＴＰ、ＳＮＭＰ、ＦＴＰなどの通信プロトコルが用いられる場合もある。
【００２９】
図５は、画像処理装置１０３の概略構成である。画像処理装置１０３は自動画像補正部５００と、ユーザインタフェース５０４と、自動画像補正結果表示部５０５と、手動画像処理依頼表示部５０６と、手動画像補正部５０７と、メッセージ送受信部５０８とを備える。自動画像補正部５００は、自動画像補正部Ａ５０１と、自動画像補正部Ｂ５０２と、自動画像部補正Ｃ５０３とを備えており、画像取得後、各自動画像補正モジュールを管理して画像補正を実行する。なお本実施形態では３つの自動画像補正モジュールのみ記載しているが、自動画像補正モジュールは、追加、削除が可能であり、その数は限定されるものではない。メッセージ送受信部５０８はメッセージ送信部５０９と、メッセージ受信部５１０とを備える。
【００３０】
自動画像補正部５００は、撮影支援装置１０２から指示された自動画像補正を画像処理手順に従って制御する。ユーザインタフェース５０４は、ユーザからの入力を受付けたり、ユーザへ情報を通知したりする。自動画像補正結果表示部５０５は、自動画像補正部５００によって行われた自動画像補正の結果を表示する。手動画像処理依頼表示部５０６、ユーザインタフェース５０４に対して、画像状態を表示すると共に、撮影支援装置１０２から画像補正依頼があった画像を表示する。手動画像補正部５０７は、ユーザによる手動画像補正を実行する。メッセージ送受信部５０８は、撮影支援装置１０２との間でメッセージの送受信を行う。より具体的には、メッセージ送信部５０９がメッセージを送信し、メッセージ受信部５１０がメッセージを受信する。
【００３１】
なおメッセージを送受信する際には、インターネットプロトコル（ＩＰ）が用いられる。この場合ＩＰのバージョンはＩＰｖ４とＩＰｖ６の双方が使用可能である。また、実際に通信経路として使用される媒体は、有線あるいは無線を用いることができる。プロトコルによっては、さらにＴＣＰ、ＵＤＰ、ＨＴＴＰ、ＳＭＴＰ、ＳＮＭＰ、ＦＴＰなどの通信プロトコルが用いられる場合もある。図６は、撮影画像確認装置１０１で撮影画像確認に使用されるユーザインタフェース３００の一例であり、撮影時に表示されるユーザインタフェースである。ユーザインタフェース３００は、カメラリスト６００と、ヒストグラム６０１と、撮影パラメータリスト６０２と、サムネイル画像リスト６０３と、撮影画像パネル６０４と、顔領域画像パネル６０５と、レーティング変更ボタン６０６と、編集依頼ボタン６０７と、編集取消ボタン６０８とを有する。
【００３２】
以上の構成要素は、撮影装置１００から撮影画像を受信した際に撮影画像の情報をカメラマンなどのユーザに通知するために使用される。また、カメラマンなどのユーザに情報を通知するのと並行して、撮影支援装置１０２に対して撮影画像が送信される。
【００３３】
カメラリスト６００は、撮影装置１００から撮影画像を受信した際に、撮影画像を撮影した撮影装置１００に固有の番号等を表示する。ヒストグラム６０１は、撮影画像に関する情報を示すヒストグラムを表示する。撮影パラメータリスト６０２は、撮影画像に対する撮影パラメータのリストを表示する。サムネイル画像リスト６０３は、サムネイル画像表示部３０４を通じて、全撮影画像を表示するために表示する。撮影画像パネル６０４は、撮影画像表示部３０２を通じて、撮影装置１００から受信した撮影画像を表示する。
【００３４】
顔領域画像パネル６０５は、撮影装置１００から受信した画像から顔領域検出部３０７により検出された顔領域画像を、顔領域表示部３０３を通じて表示する。レーティング変更ボタン６０６は、ユーザが撮影画像に対してレーティングを設定するために使用され、当該レーティング変更ボタン６０６が押下された場合、レーティング変更部３０５によりレーティングが変更される。編集依頼ボタン６０７は、カメラマンなどのユーザにより手動画像補正が必要であると判断された際に押下される。その際、画像処理依頼部３０８から撮影支援装置１０２に対して画像補正依頼が通知される。編集取消ボタン６０８は、編集依頼ボタン６０７により発行された画像補正依頼を取り消す際に使用される。
【００３５】
図７は、画像処理装置１０３において画像情報一覧を表示する際に使用されるユーザインタフェース５０４の一例である。ユーザインタフェース５０４は画像情報リスト７００と画像編集ボタン７０６とを有しており、画像情報リスト７００は、サムネイル画像表示カラム７０１と、編集依頼カラム７０２と、レートカラム７０３と、ファイル名カラム７０４と、撮影日時カラム７０５とを有する。
【００３６】
サムネイル画像表示カラム７０１は、自動画像補正結果表示部５０５により自動画像補正後のサムネイル画像を表示する。編集依頼カラム７０２は、撮影画像確認装置１０１からの画像補正依頼の有無を表示する。レートカラム７０３は、撮影画像確認装置１０１で決定されたレーティングを表示する。ファイル名カラム７０４は、ファイル名を表示する。撮影日時カラム７０５は、撮影日時を表示する。
【００３７】
ユーザは、画像情報リスト７００から画像情報を選択し、画像編集ボタン７０６を押下することにより、画像補正アプリケーションを用いて画像補正を行うことができる。
【００３８】
図８は、画像処理装置１０３で手動画像補正を行う際に使用されるユーザインタフェース５０４の一例である。ユーザインタフェース５０４は、画像表示部８００と、ヒストグラム８０１と、補正パラメータ設定部８０２と、サムネイル表示部８０３とを有する。
【００３９】
画像表示部８００には、まず自動画像補正部５００で実施された自動画像補正結果画像が自動画像補正結果表示部５０５により表示される。ユーザは、自動画像補正後の画像を見ながら、補正パラメータ設定部８０２を操作して調整することで手動画像補正を行う。補正パラメータ設定部８０２を操作して調整した結果は、画像表示部８００に表示される。なお、図８の補正パラメータ設定部８０２では、明るさ、コントラスト、色相、彩度、シャープネスが調整できるが、これは一例であり、これらの少なくとも１つ以上が調整できる構成、あるいは他の項目の補正ができる構成でもよい。ヒストグラム８０１には、現在画像表示部８００に表示されている画像に対するヒストグラムが表示される。サムネイル表示部８０３には、画像補正結果の途中経過を保存することができ、数パターンの画像補正結果を比較することができる。図８に表示されているユーザインタフェースを閉じることで、手動画像補正が終了し、自動画像補正と手動画像補正とを合わせた画像補正情報が作成され、画像補正情報と補正画像とが撮影支援装置１０２へ送信される。
【００４０】
図９は、撮影支援装置１０２の画像処理依頼部４０６を管理している画像処理フローテーブルの一例である。画像処理フローテーブルは、自動画像補正カラム９００と、実施有無カラム９０１と、関連撮影パラメータカラム９０２とを有する。自動画像補正カラム９００には各項目が登録され、実施有無カラム９０１において、補正の実施有無が管理されている。この実施有無は適宜変更してもよい。また、関連撮影パラメータカラム９０２において、該当の画像補正が関連する撮影装置１００の撮影パラメータが管理されている。なお、この画像処理フローテーブルの項目、および値は一例であり、これに限定されるものではない。
【００４１】
図１０のフローチャートを参照して、第１実施形態に係る撮影支援システム全体の処理の手順を説明する。ステップＳ１０００において、撮影画像確認装置１０１は、ユーザ操作により撮影を開始する。
【００４２】
ステップＳ１００１において、撮影画像確認装置１０１の撮影パラメータ送信部３０９は、撮影装置１００へ撮影パラメータを送信する。この時送信される撮影パラメータは、撮影モード、Ａｖ値、Ｔｖ値、ＩＳＯ感度、露出補正値、ピクチャースタイル、ホワイトバランス、色温度等の少なくとも何れか１つ以上である。なお送信されるパラメータは一例であり、これに限定されるものではない。
【００４３】
ステップＳ１００２において、撮影装置１００は、ユーザ操作により撮影を実行する。撮影装置１００により撮影された画像は、撮影画像確認装置１０１へ送信される。
【００４４】
ステップＳ１００３において、撮影画像確認装置１０１が撮影画像を撮影装置１００から受信した後、撮影画像確認装置１０１の撮影画像表示部３０２は、撮影画像パネル６０４に撮影画像を表示する。さらに顔領域表示部３０３は、顔領域検出部３０７により検出された顔領域画像を顔領域画像パネル６０５に表示する。そしてサムネイル画像表示部３０４は、サムネイル画像リスト６０３にサムネイル画像を表示する。また、撮影画像のヒストグラムがヒストグラム６０１に表示される。さらに、撮影画像の撮影パラメータが撮影パラメータリスト６０２に表示される。
【００４５】
ステップＳ１００４において、撮影画像確認装置１０１は、撮影支援装置１０２へ撮影画像を送信する。撮影支援装置１０２は、撮影画像確認装置１０１から受信した撮影画像を撮影画像保存部４００に保存する。
【００４６】
ステップＳ１００５において、撮影支援装置１０２は、画像処理依頼部４０６により管理される画像処理フローに基づいて、画像処理装置１０３へ画像補正を依頼する。画像処理装置１０３は、撮影支援装置１０２から通知された画像処理フローに従って自動画像補正部５００により自動画像補正を行う。ここで実行される画像補正は、図９に示されるように実施有の設定になっている項目に対応するものである。
【００４７】
ステップＳ１００６において、画像処理装置１０３の自動画像補正結果表示部５０５は、サムネイル画像表示カラム７０１に自動画像補正結果画像を表示する。
【００４８】
ステップＳ１００７において、画像処理装置１０３は、自動画像補正結果や撮影画像確認装置１０１から撮影支援装置を経由して通知される画像補正依頼の有無等を確認したユーザからの指示の有無に応じて、手動画像補正が必要であるか否かを判定する。
【００４９】
手動画像補正が必要であると判定された場合（Ｓ１００７；ＹＥＳ）、ステップＳ１００８へ進む。一方、手動画像補正が不要であると判定された場合（Ｓ１００７；ＮＯ）、ステップＳ１０１２へ進む。
【００５０】
ステップＳ１００８において、画像処理装置１０３の手動画像補正部５０７は、図８に示されるようなユーザインタフェースを使用して、手動画像補正を受け付ける。
【００５１】
ステップＳ１００９において、画像処理装置１０３は、画像補正が行われたために撮影パラメータが変更される可能性があることを、撮影画像確認装置１０１へ通知する。撮影画像確認装置１０１が当該通知を受信すると、撮影画像確認装置１０１の撮影パラメータ変更通知部３０６はユーザに警告を通知する。
【００５２】
ステップＳ１０１０において、画像処理装置１０３は、自動画像補正部５００および手動画像補正部５０７により実行された画像補正結果である画像補正情報を、撮影支援装置１０２へ送信する。
【００５３】
ステップＳ１０１１において、撮影支援装置１０２の補正情報保存部４０２は、画像処理装置１０３から受信した画像補正情報を保存する。
【００５４】
ステップＳ１０１２において、画像処理装置１０３は、補正後の画像を撮影支援装置１０２へ送信する。撮影支援装置１０２の補正画像保存部４０１は、画像処理装置１０３から受信した補正後の画像を保存する。なお、ステップＳ１００７で手動補正が不要であると判断されてステップ１０１２の処理へ進んだ場合、補正画像保存部４０１は、自動画像補正のみが実行された画像を保存する。
【００５５】
ステップＳ１０１３において、撮影支援装置１０２の画像補正情報解析部４０３は、同一手動補正が規定回数以上行われ、その際の補正値が略同一であるか否か（規定量の誤差の範囲内であるか否か）を判定する。すなわち、撮影画像に対して、所定範囲内の手動画像補正が所定回数以上行われたか否かを判定する。同一手動補正が規定回数以上略同一の補正値で実行されていると判定された場合（Ｓ１０１３；ＹＥＳ）、ステップＳ１０１４へ進む。一方、そうでない場合（Ｓ１０１３；ＮＯ）、ステップＳ１０１７へ進む。
【００５６】
ステップＳ１０１４において、撮影支援装置１０２の撮影パラメータ決定部４０４は、新規の撮影パラメータを決定する。この新規の撮影パラメータの決定処理の詳細は図１１を参照して後述する。
【００５７】
ステップＳ１０１５において、撮影支援装置１０２の撮影パラメータ変更通知部４０７は、撮影パラメータの変更が行われることを撮影画像確認装置１０１へ通知する。撮影画像確認装置１０１の撮影パラメータ変更通知部３０６は、撮影支援装置１０２から通知を受け取ると、撮影パラメータが変更されることをユーザへ警告する。
【００５８】
ステップＳ１０１６において、撮影支援装置１０２の撮影パラメータ送信部４０５は、新規の撮影パラメータを撮影画像確認装置１０１へ送信する。撮影画像確認装置１０１により新規の撮影パラメータ取得が行われると、撮影画像確認装置１０１の撮影パラメータ送信部３０９は、新規の撮影パラメータを撮影装置１００へ送信する。
【００５９】
ステップＳ１０１７において、撮影装置１００は、ユーザからの撮影終了指示の有無により撮影終了か否かを判定する。撮影終了と判定された場合（Ｓ１０１７；ＹＥＳ）、処理を終了する。一方、撮影継続と判定された場合（Ｓ１０１７；ＮＯ）、ステップＳ１００２へ戻る。
【００６０】
図１１のフローチャートを参照して、Ｓ１０１４における新規撮影パラメータの作成処理の手順を説明する。当該処理は、撮影支援装置１０２の撮影パラメータ決定部４０４が実行する。なお、図１１における新規撮影パラメータの作成処理手順は一例であり、その他の方法で画像補正結果から撮影パラメータを作成してもよい。  ステップＳ１１００において、撮影パラメータ決定部４０４は、補正項目を解析して、補正項目が撮影装置１００に直接設定可能な項目であるか、補正項目が撮影パラメータ調整に無関係な項目であるか、または、補正項目が明るさなど露出に関する項目であるかを判定する。ここで撮影装置１００に直接設定可能な項目とは、例えばホワイトバランス、色温度、またはピクチャースタイル等である。
【００６１】
補正項目が撮影装置１００に直接設定可能な項目であると判定された場合、ステップＳ１１０１へ進む。補正項目が撮影パラメータ調整に無関係な項目であると判定された場合、ステップＳ１１０２へ進む。補正項目が明るさなど露出に関する項目であると判定された場合、ステップＳ１１０３へ進む。
【００６２】
ステップＳ１１０１において、撮影パラメータ決定部４０４は、補正値を新規撮影パラメータとする。
【００６３】
ステップＳ１１０２において、撮影パラメータ決定部４０４は、画像処理装置１０３に対して、繰り返し行われている画像補正結果により撮影パラメータを変更できないことを通知する。また画像処理装置１０３は当該通知に応じて、繰り返し行われている画像補正結果により撮影パラメータを変更できないことをユーザへ通知する。
【００６４】
ステップＳ１１０３において、撮影パラメータ決定部４０４は、撮影装置１００の撮影モードがシャッター優先ＡＥであるか、マニュアルであるか、または絞り優先ＡＥであるかを判定する。撮影モードがシャッター優先ＡＥであると判定された場合、ステップＳ１１０４へ進む。撮影モードがマニュアルであると判定された場合、ステップＳ１１０５へ進む。撮影モードが絞り優先ＡＥであると判定された場合、ステップＳ１１０６へ進む。
【００６５】
ステップＳ１１０４において、撮影パラメータ決定部４０４は、画像処理装置１０３で行われた画像補正情報と現在撮像装置１００に設定されているＴｖ値とから新たに設定するＡｖ値、ＩＳＯ感度を算出する。これは、撮影モードがシャッター優先ＡＥである場合、撮影者の意思を尊重し、Ｔｖ値に対しては変更しないように露出を制御するためである。なお、画像処理装置１０３で行われた画像補正情報に基づいて、露出補正値を決定する構成としてもよい。また、システムはＴｖ値を算出し、撮影装置１００では指定されたＴｖ値に基づいて自動露出補正を行い、Ａｖ値、ＩＳＯ感度を決定する構成としてもよい。
【００６６】
ステップＳ１１０５において、撮影パラメータ決定部４０４は、画像処理装置１０３で行われた画像補正情報から露出補正値を算出する。撮影モードがマニュアルである場合、システムからはＴｖ値、Ａｖ値、ＩＳＯ感度をそれぞれ固定的に設定できるが、３つの撮影パラメータのどの値を優先すべきかはユーザに依存するため、撮影装置１００で行う露出補正値を変更する。
【００６７】
ステップＳ１１０６において、撮影パラメータ決定部４０４は、画像処理装置１０３で行われた画像補正情報と現在撮像装置１００に設定されているＡｖ値とから新たに設定するＴｖ値、ＩＳＯ感度を算出する。これは、撮影モードが絞り優先ＡＥである場合、撮影者の意思を尊重し、Ａｖ値に対しては変更しないように露出を制御するためである。なお、画像処理装置１０３で行われた画像補正情報に基づいて、露出補正値を決定する構成としてもよい。また、システムはＡｖ値を算出し、撮影装置１００では指定されたＡｖ値に基づいて自動露出補正を行い、Ｔｖ値、ＩＳＯ感度を決定する構成としても良い。
【００６８】
ステップＳ１１０７において、撮影パラメータ決定部４０４は、Ｓ１１０４、Ｓ１１０５、またはＳ１１０６で算出されたＴｖ値、露出補正値、Ａｖ値またはＩＳＯ感度を撮影パラメータとして決定する。
【００６９】
ステップＳ１１０８において、撮影パラメータ決定部４０４は、決定（変更）された撮影パラメータに関連する自動画像補正（停止すべき自動画像補正）が存在するか否かを、図９に示した画像処理フローテーブルを参照して判定する。変更された撮影パラメータに関連する自動画像補正が存在すると判定された場合（Ｓ１１０８；ＹＥＳ）、ステップＳ１１０９へ進む。一方、変更された撮影パラメータに関連する自動画像補正が存在しないと判定された場合（Ｓ１１０８；ＮＯ）、処理を終了する。
【００７０】
ステップＳ１１０９において、撮影パラメータ決定部４０４は、該当する自動画像補正を停止する。これは、自動画像補正の結果と、ユーザによる手動画像補正の結果とが異なっている場合があるためである。例えば、自動画像補正でピクチャースタイルをモノクロに設定し、手動補正においてピクチャースタイルをポートレートに変更しているような場合を考える。この場合、手動補正結果に基づいて撮影装置１００の撮影パラメータをポートレートに変更しても、自動画像補正により再度モノクロに設定されてしまうことが考えられ、このような弊害を防ぐ必要があるためである。
【００７１】
以上の処理により、画像処理装置１０３により行われた画像補正情報に基づいて撮影時に使用する撮影装置１００の撮影パラメータを決定することができるため、撮影中であっても適切な撮影パラメータを設定することができる。また、画像処理装置１０３により画像に対して明るさの変更等の画像補正を行うだけで撮影パラメータを決定できるため、撮影装置１００での撮影パラメータ設定に関する知識に乏しいユーザでも、容易に撮影パラメータを設定することができる。また、画像補正情報に基づいて撮影パラメータを決定し撮影装置に当該撮影パラメータを設定することで、撮影パラメータ設定後に撮影された画像に対しては補正を行う必要がなくなる。
【００７２】
なお、撮影装置１００ではシステムで指定された撮影パラメータの値をスタジオの撮影状況の変化に応じて自動露出補正を行うよう構成しても良い。撮影装置１００は自動露出補正する場合はシステムまたは／及びユーザに自動露出補正を行ってよいかを問い合わせる構成、自動露出補正することを通知する構成としてもよい。
【００７３】
本実施形態によれば、撮影状況が変化する中で撮影業務を行う場合でも、撮影装置に対して適切な撮影パラメータを設定することができる。
【００７４】
（第２実施形態）
第１実施形態では、同一の手動画像補正が規定回数行われたことにより、新規撮影パラメータを導出する場合について説明した。これに対して、本実施形態では、自動画像補正、手動画像補正にかかわらず、同一画像補正が規定回数行われたことにより、新規撮影パラメータを導出する場合について説明する。各装置の構成については第１実施形態と同様であるため説明を省略する。
【００７５】
図１２のフローチャートを参照して、第２実施形態に係る撮影支援システム全体の処理の手順を説明する。
【００７６】
ステップＳ１２００において、撮影画像確認装置１０１は、ユーザ操作により撮影を開始する。
【００７７】
ステップＳ１２０１において、撮影画像確認装置１０１の撮影パラメータ送信部３０９は、撮影装置１００へ撮影パラメータを送信する。この時送信される撮影パラメータは、撮影モード、Ａｖ値、Ｔｖ値、ＩＳＯ感度、露出補正値、ピクチャースタイル、ホワイトバランス、色温度等の少なくとも何れか１つ以上である。なお送信されるパラメータは一例であり、これに限定されるものではない。
【００７８】
ステップＳ１２０２において、撮影装置１００は、ユーザ操作により撮影を実行する。撮影装置１００により撮影された画像は、撮影画像確認装置１０１へ送信される。
【００７９】
ステップＳ１２０３において、撮影画像確認装置１０１が撮影画像を撮影装置１００から受信した後、撮影画像確認装置１０１の撮影画像表示部３０２は、撮影画像パネル６０４に撮影画像を表示する。さらに顔領域表示部３０３は、顔領域検出部３０７により検出された顔領域画像を顔領域画像パネル６０５に表示する。そしてサムネイル画像表示部３０４は、サムネイル画像リスト６０３にサムネイル画像を表示する。また、撮影画像のヒストグラムがヒストグラム６０１に表示される。さらに、撮影画像の撮影パラメータが撮影パラメータリスト６０２に表示される。
【００８０】
ステップＳ１２０４において、撮影画像確認装置１０１は、撮影支援装置１０２へ撮影画像を送信する。撮影支援装置１０２は、撮影画像確認装置１０１から受信した撮影画像を撮影画像保存部４００に保存する。
【００８１】
ステップＳ１２０５において、撮影支援装置１０２は、画像処理依頼部４０６により管理される画像処理フローに基づいて、画像処理装置１０３へ画像補正を依頼する。画像処理装置１０３は、撮影支援装置１０２から通知された画像処理フローに従って自動画像補正部５００により自動画像補正を行う。ここで実行される画像補正は、図９に示されるように実施有の設定になっている項目に対応するものである。
【００８２】
ステップＳ１２０６において、画像処理装置１０３の自動画像補正結果表示部５０５は、サムネイル画像表示カラム７０１に自動画像補正結果画像を表示する。
【００８３】
ステップＳ１２０７において、画像処理装置１０３は、自動画像補正結果や撮影画像確認装置１０１から通知される画像補正依頼の有無等を確認したユーザからの指示の有無に応じて、手動画像補正が必要であるか否かを判定する。手動画像補正が必要であると判定された場合（Ｓ１２０７；ＹＥＳ）、ステップＳ１２０８へ進む。一方、手動画像補正が不要であると判定された場合（Ｓ１２０７；ＮＯ）、ステップＳ１２１１へ進む。
【００８４】
ステップＳ１２０８において、画像処理装置１０３の手動画像補正部５０７は、図８に示されるようなユーザインタフェースを使用して、手動画像補正を受け付ける。
【００８５】
ステップＳ１２０９において、画像処理装置１０３は、自動画像補正部５００および手動画像補正部５０７により実行された画像補正結果である画像補正情報を、撮影支援装置１０２へ送信する。
【００８６】
ステップＳ１２１０において、撮影支援装置１０２の補正情報保存部４０２は、画像処理装置１０３から受信した画像補正情報を保存する。
【００８７】
ステップＳ１２１１において、画像処理装置１０３は、補正後の画像を撮影支援装置１０２へ送信する。撮影支援装置１０２の補正画像保存部４０１は、画像処理装置１０３から受信した補正後の画像を保存する。なお、ステップＳ１２０７で手動補正が不要であると判断されてステップ１２１１の処理へ進んだ場合、補正画像保存部４０１は、自動画像補正のみが実行された画像を保存する。
【００８８】
ステップＳ１２１２において、撮影支援装置１０２は、自動画像補正もしくは手動画像補正が行われたか否かを判定する。自動画像補正もしくは手動画像補正が行われたと判定された場合（Ｓ１２１２；ＹＥＳ）、ステップＳ１２１３へ進む。一方、自動画像補正もしくは手動画像補正が行われていないと判定された場合（Ｓ１２１２；ＮＯ）、ステップＳ１２１４へ進む。
【００８９】
ステップＳ１２１３において、撮影支援装置１０２は、画像補正が行われたために撮影パラメータが変更される可能性があることを撮影画像確認装置１０１へ通知する。通知を受け取った撮影画像確認装置１０１の撮影パラメータ変更通知部３０６は、ユーザに警告を通知する。
【００９０】
ステップＳ１２１４において、撮影支援装置１０２の画像補正情報解析部４０３は、自動補正または手動補正にかかわらず同一補正が規定回数以上行われ、その際の補正値が略同一であるか否か（規定量の誤差の範囲内であるか否か）を判定する。同一補正が規定回数以上略同一の値で行われていると判定された場合（Ｓ１２１４；ＹＥＳ）、ステップＳ１２１５へ進む。一方、そうでない場合（Ｓ１２１４；ＮＯ）、ステップＳ１２１８へ進む。
【００９１】
ステップＳ１２１５において、撮影支援装置１０２の撮影パラメータ決定部４０４は、新規の撮影パラメータを決定する。この新規の撮影パラメータの決定処理は図１１と同様であるため説明を省略する。
【００９２】
ステップＳ１２１６において、撮影支援装置１０２の撮影パラメータ変更通知部４０７は、撮影パラメータの変更が行われることを撮影画像確認装置１０１へ通知する。撮影画像確認装置１０１の撮影パラメータ変更通知部３０６は、撮影支援装置１０２から通知を受け取ると、撮影パラメータが変更されることをユーザへ警告する。
【００９３】
ステップＳ１２１７において、撮影支援装置１０２の撮影パラメータ送信部４０５は、新規の撮影パラメータを撮影画像確認装置１０１へ送信する。新規の撮影パラメータを受信した撮影画像確認装置１０１の撮影パラメータ送信部３０９は、新規の撮影パラメータを撮影装置１００へ送信する。
【００９４】
ステップＳ１２１８において、撮影装置１００は、ユーザからの撮影終了指示の有無により撮影終了か否かを判定する。撮影終了と判定された場合（Ｓ１２１８；ＹＥＳ）、処理を終了する。一方、撮影継続と判定された場合（Ｓ１２１８；ＮＯ）、ステップＳ１２０２へ戻る。
【００９５】
以上説明したように、自動画像補正または手動画像補正にかかわらず、同一画像補正が規定回数行われたことにより、新規撮影パラメータを導出する。本実施形態によれば、撮影状況が変化する中で撮影業務を行う場合でも、撮影装置に対してより適切な撮影パラメータを設定することができる。
【００９６】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2013157676.tif 000003
【図２】
2013157676.tif 000004
【図３】
2013157676.tif 000005
【図４】
2013157676.tif 000006
【図５】
2013157676.tif 000007
【図６】
2013157676.tif 000008
【図７】
2013157676.tif 000009
【図８】
2013157676.tif 000010
【図９】
2013157676.tif 000011
【図１０】
2013157676.tif 000012
【図１１】
2013157676.tif 000013
【図１２】
2013157676.tif 000014